(57)【要約】【課題】着呼時に、音声通信を受けること無しに、発呼側へのリアルタイムの返信や発呼者の表示用メッセージの確認を行える携帯電話端末を提供する。【解決手段】発呼側携帯電話端末から着呼側携帯電話端末に音声通信に係る発呼信号と表示用メッセージとを送信する。着呼側携帯電話端末は、発呼を受けると、着信音の再生等とともに表示画面１４０に表示用メッセージを自動表示する。着呼者は、該表示用メッセージに基づいて、該着呼を音声通信を受けるか文字チャットで受けるかを判断して、音声モード選択キー１５１または文字会話モード選択キー１５２を押下する。文字会話モード選択キー１５２が押下されると、着呼側携帯電話端末は、発呼側携帯電話端末に対して文字会話モードの選択を示す自動音声メッセージを送信した後、文字チャット動作を開始する。そして、発呼者がこの自動音声メッセージを聴いた後で文字会話モード選択キー１５２を押下すると、発呼側携帯電話端末も文字チャットの動作を開始する。【選択図】図１
2007096486.tif 000002
【特許請求の範囲】
【請求項１】
発呼側移動通信端末装置から、着呼側移動通信端末装置に、音声通信に係る発呼を行うステップと、
前記着呼側移動通信端末装置が、前記発呼を受けたときに、着呼側利用者の操作に基づいて音声モードまたは文字会話モードのいずれかを選択するステップと、
前記音声モードが選択された場合には前記発呼側移動通信端末装置と前記着呼側移動通信端末装置との間で前記音声通信を開始し、且つ、前記文字会話モードが選択された場合には該発呼側移動通信端末装置と該着呼側移動通信端末装置との間で文字会話通信を開始するステップと、
を含むことを特徴とする移動通信方式選択方法。
【請求項２】
前記発呼側移動通信端末装置が、前記発呼の際に、前記着呼側移動通信端末装置に対して表示用メッセージを送信することを特徴とする請求項１に記載の移動通信方式選択方法。
【請求項３】
前記着呼側移動通信端末装置が、前記発呼を受けたときに、前記表示用メッセージを表示画面に自動的に表示することを特徴とする請求項２に記載の移動通信方式選択方法。
【請求項４】
前記文字会話モードが選択された場合に、該文字会話モードの選択を告知する自動音声メッセージが前記発呼側移動通信端末装置で再生された後で、前記文字会話通信が開始されることを特徴とする請求項１〜３のいずれかに記載の移動通信方式選択方法。
【請求項５】
他の移動通信端末装置に対して音声通信に係る発呼処理および着呼処理を行う発着呼手段と、
前記他の移動通信端末装置から発呼信号を受信したときに、利用者の操作に基づいて音声モードまたは文字会話モードのいずれかを選択する通信モード選択手段と、
前記音声モードが選択された場合には前記他の移動通信端末装置との間で前記音声通信を開始し、且つ、前記文字会話モードが選択された場合には該他の移動通信端末装置との間で文字会話通信を開始する通信接続手段と、
を備えることを特徴とする移動通信端末装置。
【請求項６】
前記発着呼手段が、前記他の移動通信端末装置に対して、前記発呼信号と同時に、表示用メッセージを送信することを特徴とする請求項５に記載の移動通信端末装置。
【請求項７】
前記他の移動通信端末装置から前記発呼信号を受信したときに、該発呼信号とともに受信した表示用メッセージを表示画面に自動的に表示することを特徴とする請求項６に記載の移動通信端末装置。
【請求項８】
前記他の移動通信端末装置によって前記文字会話モードが選択された場合に、該文字会話モードの選択を告知する自動音声メッセージを再生した後で、前記文字会話通信を開始することを特徴とする請求項５〜７のいずれかに記載の移動通信端末装置。
【発明の詳細な説明】
【技術分野】
【０００１】
この発明は、例えば携帯電話機やＰＨＳ(Personal Handyphone System)等の移動通信端末装置を用いて音声通信および文字会話通信を行う技術に関する。
【背景技術】
【０００２】
従来より、携帯電話機等の移動通信端末装置として、音声通信、静止画テレビ電話、動画テレビ電話等の複数種類の通信方式から、いずれかを適宜選択できるように構成されたものが知られている。このような移動通信端末装置としては、例えば、下記特許文献１に記載されたものが知られている。特許文献１の移動通信端末装置では、発呼側利用者が、複数種類の通信方式からいずれかを選択することができる。発呼側利用者が選択した通信方式は、着呼側利用者の移動通信端末装置に送られて、表示される。そして、着呼側利用者が、この表示に合わせて自己の移動通信端末装置の通信方式を選択することにより、該通信方式での通信が可能になる（例えば、特許文献１の段落００２１〜００２３参照）。
【０００３】
また、従来より、移動通信端末装置の通信方式として、文字や絵文字等を用いて相互通信を行うものが知られている。かかる通信方式としては、例えば、チャット(chat)と称されている方式がある。チャットを用いることにより、あたかも会話をしているような感覚で、文字等を用いたリアルタイムの相互通信を行うことができる。チャットとしては、不特定多数の参加者間で文字会話を行うものや、特定の参加者が少人数或いは１対１で文字会話を行うものなどが知られている。
【特許文献１】特開２００１−３０９０８６号公報
【発明の開示】
【発明が解決しようとする課題】
【０００４】
移動通信端末装置の利用者は、通信を行う場所や状況等に応じて、通信方式を選択したい場合がある。例えば、電車内等では、通話が禁止されているので、通信を行いたい場合には電子メールやチャット等を用いる必要がある。
【０００５】
しかし、多くの場合、移動通信端末装置の発呼側利用者は、着呼側利用者の居場所や状況等を予め知ることはできない。このため、発呼側利用者は、着呼側利用者が音声通話が許されない場所や状況であるにも拘わらず、発呼を行ってしまう場合がある。このような場合、着呼側利用者は、着呼を認識しているにも拘わらず音声通信を受けることができないことになる。
【０００６】
このような場合に取り得る対策としては、従来、伝言機能を用いて発呼側利用者に要件を録音してもらう方法や、音声通信をできない旨を自動応答メッセージ機能によって発呼側利用者に伝える方法等があった。伝言機能が利用された場合、着呼側利用者は、録音メッセージを再生することで、伝言を聞くことができる。また、自動応答メッセージ機能を利用した場合でも、着呼側利用者は、移動通信端末装置の発信者表示機能から発呼側利用者を識別することができるので、該発呼側利用者に対して、電子メールや音声通信による返答を行うことができる。
【０００７】
しかしながら、これらの方法には、いずれも、着呼に対してリアルタイムに応答することができないという欠点がある。すなわち、音声通信での返信は、着呼側利用者の音声通信が許される状況になるまで、行うことができない。また、電子メール等による方法も、発呼側利用者が一旦発呼を終了した後で返信することになるので、着呼開始から返答までには一定の時間が必要になる。
【０００８】
一方、音声通信が可能な場所や状況であっても、移動通信端末装置の利用者は、通信方式の選択や通話の可否の選択を行いたい場合がある。例えば、会議中等では、緊急且つ複雑な要件の場合は会議室外に移動して通話を行いたいが、簡単な返答で済む要件の場合は電子メールやチャット等の方が都合がよく、また、緊急を要しない場合は通信したくないような場合がある。
【０００９】
このような場合にも、発呼側利用者が着呼側利用者の状況を知らないために、音声通信に値しない要件であるにも拘わらず、発呼を行ってしまう場合がある。しかし、着呼側利用者は、音声通信に値する要件であるかどうか、音声通信を受けなければ判断することができない。このため、着呼側利用者は、不要な音声通信に煩わされることになる。
【００１０】
この発明の第１の課題は、音声通信を着呼した場合に、該音声通信を受けること無しに、発呼側利用者に対してリアルタイムに返信する技術を提供することにある。
【００１１】
また、この発明の第２の課題は、音声通信を着呼した場合に、該音声通信を受けること無しに、発呼側利用者の要件を判断する技術を適用することにある。
【課題を解決するための手段】
【００１２】
（１）第１の発明に係る移動通信方式選択方法は、発呼側移動通信端末装置から着呼側移動通信端末装置に音声通信に係る発呼を行うステップと、着呼側移動通信端末装置が発呼を受けたときに着呼側利用者の操作に基づいて音声モードまたは文字会話モードのいずれかを選択するステップと、音声モードが選択された場合には発呼側移動通信端末装置と着呼側移動通信端末装置との間で音声通信を開始し且つ文字会話モードが選択された場合には該発呼側移動通信端末装置と該着呼側移動通信端末装置との間で文字会話通信を開始するステップとを含む。
【００１３】
第１の発明において、発呼側移動通信端末装置は、発呼の際に、着呼側移動通信端末装置に対して表示用メッセージを送信することが望ましい。
【００１４】
また、第１の発明において、着呼側移動通信端末装置は、発呼を受けたときに、表示用メッセージを表示画面に自動的に表示することが望ましい。
【００１５】
さらに、第１の発明は、文字会話モードが選択された場合に、該文字会話モードの選択を告知する自動音声メッセージが発呼側移動通信端末装置で再生された後で、文字会話通信が開始されることが望ましい。
【００１６】
（２）第２の発明に係る移動通信端末装置は、他の移動通信端末装置に対して音声通信に係る発呼処理および着呼処理を行う発着呼手段と、他の移動通信端末装置から発呼信号を受信したときに利用者の操作に基づいて音声モードまたは文字会話モードのいずれかを選択する通信モード選択手段と、音声モードが選択された場合には他の移動通信端末装置との間で音声通信を開始し且つ文字会話モードが選択された場合には該他の移動通信端末装置との間で文字会話通信を開始する通信接続手段とを備える。
【００１７】
第２の発明において、発着呼手段は、他の移動通信端末装置に対して、発呼処理を行うと同時に、表示用メッセージを送信することが望ましい。
【００１８】
また、第２の発明は、他の移動通信端末装置から発呼信号を受信したときに、該発呼信号とともに受信した表示用メッセージを表示画面に自動的に表示することが望ましい。
【００１９】
さらに、第２の発明は、他の移動通信端末装置によって文字会話モードが選択された場合に、該文字会話モードの選択を告知する自動音声メッセージを再生した後で、文字会話通信を開始することが望ましい。
【発明の効果】
【００２０】
第１および第２の発明によれば、着呼側利用者は、音声通信に係る発呼に対して文字会話通信による通信を選択することができるので、音声通信の接続を受けること無しに、発呼側利用者に対するリアルタイムの返信を行うことができる。
【００２１】
加えて、第１および第２の発明において、発呼の際に、発信側通信端末装置から着呼側移動通信端末装置に表示用メッセージを送信することとすれば、音声通信を着呼した場合に、該音声通信の接続を受けること無しに、発呼側利用者の要件を判断することが可能になる。
【００２２】
また、この表示用メッセージを着呼側移動通信端末装置の表示画面に自動的に表示することとすれば、該要件の判断を簡単に行うことが可能になる。
【００２３】
さらに、文字会話モードが選択された場合に、該文字会話モードの選択を告知する自動音声メッセージが発呼側移動通信端末装置で再生された後で文字会話通信を開始することとすれば、発呼側利用者は、文字会話モードが選択されたことを容易に知ることが可能になる。
【発明を実施するための最良の形態】
【００２４】
以下、この発明の実施の形態について、この発明を携帯電話端末機に適用した場合を例に採り、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００２５】
図１は、この実施形態に係る携帯電話端末機の外観を概略的に示す平面図ある。また、図２は、該携帯電話端末機の電気的構成を概略的に示すブロック図である。
【００２６】
図１および図２に示したように、この実施形態の携帯電話端末機１００は、アンテナ部１１０、送受信部１２０、制御部１３０、表示部１４０、キー入力部１５０、マイク部１６０、スピーカ部１７０および筐体１８０を備えている。
【００２７】
アンテナ部１１０は、通常の携帯電話端末機におけるアンテナ部と同様、図示しない基地局との間で、無線信号の送受信を行う。
【００２８】
送受信部１２０は、通常の携帯電話端末機における送受信部と同様、制御部１３０から入力した送信信号の変調や増幅等を行ってアンテナ部１１０に出力するとともに、このアンテナ部１１０から入力した受信信号のレベル調整や復調等を行って制御部１３０に出力する。
【００２９】
制御部１３０は、発呼処理や着呼処理等の通信制御や、他の構成部１４０〜１７０の制御等を行う。この実施形態に係る制御部１３０は、発呼処理に関する機能として、発呼信号とともに表示用メッセージを送る機能を備えている。また、この実施形態に係る制御部は、着呼処理に関する機能として、発呼信号とともに受信した表示用メッセージを表示部１４０に自動的に表示させる機能と、利用者に音声モードまたは文字会話モードのいずれかを選択させるための機能と、文字会話モードが選択された場合にその旨を告知する自動音声メッセージを発呼側携帯電話端末機に送信する機能とを備えている。
【００３０】
ここで、「表示用メッセージ」は、通常の文字データのみならず、絵文字や画像データ等を含む。すなわち、「表示用メッセージ」は、着呼側利用者に、音声モードによる通信、文字会話モードによる通信、通信しない等からいずれかを選択するための情報を提供し得るものであればよい。表示用メッセージの内容としては、例えば、要件の説明、発呼側利用者の名前や企業ロゴマーク、重要度を示す絵文字マーク等が考えられるが、どのような表示用メッセージとするかは利用者の任意である。
【００３１】
また、「音声モード」とは通常の音声通信を行う機能であり、「文字会話モード」とは文字会話通信を行う機能である。文字会話通信の方式は特に限定されないが、例えば、上述のチャット方式を採用することができる。文字会話通信で使用する文字としては、例えば絵文字等の特殊な文字や画像データ等を含む。すなわち、この実施形態の文字会話通信は、音声を用いずに視覚的な方法により会話することができる通信方式をすべて含むものとする。
【００３２】
表示部１４０は、通常の携帯電話端末機における表示部と同様、制御部１３０の制御に基づいて画面表示を行う。上述のように、この実施形態では、発呼信号を受信したときに、発呼側携帯電話端末機から送られた表示用メッセージが自動的に表示される。また、文字会話通信を行う際には、表示部１４０に、利用者による送信文字や通信相手からの受信文字が順次表示される。
【００３３】
キー入力部１５０は、通常の携帯電話端末機におけるキー入力部と同様、利用者のキー入力に使用される。この実施形態のキー入力部１５０は、着呼時に音声モードを選択するためのキー１５１と、該着呼時に文字会話モードを選択するためのキー１５２を備えている。
【００３４】
マイク部１６０およびスピーカ部１７０は、通常の携帯電話端末機の場合と同様、音声通信時に音声出力および音声入力に使用される。
【００３５】
筐体１８０は、他の構成部分１１０〜１７０を収容するために使用される。
【００３６】
次に、この実施形態に係る携帯電話端末機を用いて文字会話通信を行う場合の通信手順について、図３および図４を用いて説明する。ここで、図３は、かかる通信手順を説明するためのシーケンス図であり、図４は、表示画面例を示す概念図である。
【００３７】
（１）まず、発呼側携帯電話端末機の利用者は、キー入力部１５０を操作して、表示用メッセージを作成する。表示用メッセージの作成方法は、通常の電子メールや携帯チャットと同様でよい。このとき、作成された表示用メッセージは表示部１４０に表示され、表示用メッセージの確認等に利用される。その後、発呼側利用者は、キー入力部１５０を操作することにより、音声通信に係る発呼信号と該表示用メッセージとの送信を指示する。発呼信号および表示用メッセージは、制御部１３０から送受信部１２０に送られて送信信号処理が施され、アンテナ部１１０から送信される（図３のａ参照）。
【００３８】
（２）発呼信号および表示用メッセージは、図示しないネットワークを介して、着呼側携帯電話端末機に送られる。発呼信号および表示用メッセージは、着呼側携帯電話端末機のアンテナ部１１０で受信され、送信部１２０で信号処理が施された後、制御部１３０に送られる。制御部１３０は、発呼信号の受信に対応して、着信音や振動モータ（図示せず）等により、着呼側利用者に着信を告知する。これと同時に、制御部１３０は、受信した表示用メッセージを、発呼側利用者の電話番号（該電話番号が着呼側携帯電話端末機にアドレス登録されている場合は、登録された発呼側利用者名でもよい）等とともに、表示部１４０に表示させる（図３のｂ参照）。図４は、このときの表示例を示している。
【００３９】
（３）着信側利用者が文字会話モード選択キー１５２を押下すると（図３のｃ参照）、着呼側携帯電話端末機の制御部１３０は、発呼側携帯電話端末機に対して着呼処理（発呼信号に対する応答信号の送信等）を行い（図３のｄ参照）、さらに、文字会話モードが選択されたことを告知する自動音声メッセージ（例えば、「この電話はチャット機能で受信されました」などのメッセージ）を該発呼側携帯電話端末機に送信する（図３のｅ参照）。そして、着呼側携帯電話端末機の制御部１３０は、文字会話モードでの通信動作を開始する。
【００４０】
（４）発呼側携帯電話端末機は、アンテナ部１１０から、この自動音声メッセージを受信する。この自動音声メッセージは、送受信部１２０で信号処理された後、制御部１３０に送られる。制御部１３０は、この自動音声メッセージを、スピーカ１７０に再生させる（図３のｆ参照）。発呼側利用者は、この自動音声メッセージを聴くことにより、着呼側利用者が文字会話モードを選択したことを認識すると、発呼側携帯電話端末機の文字会話モード選択キー１５２を押下する（図３のｇ参照）。これにより、発呼側携帯電話端末機の制御部１３０も、文字会話通信の動作を開始する。
【００４１】
（５）その後、発呼側携帯電話端末機と着呼側携帯電話端末機との間で、文字会話通信が行われる（図３のｈ参照）。通信を終了するときの手順は、通常の携帯電話端末機における終了時と同様である。すなわち、発呼側携帯電話端末機または着呼側携帯電話端末機の一方で所定の通話終了キーが押下されれば、通信が終了する。
【００４２】
続いて、この実施形態に係る携帯電話端末機を用いて音声通信を行う場合の通信手順について、図５を用いて説明する。ここで、図５は、かかる通信手順を説明するシーケンス図である。
【００４３】
（６）まず、文字会話通信の場合と同様にして、発呼側携帯電話端末機の利用者は、キー入力部１５０を用いて表示用メッセージを作成し、発呼信号とともに送信する（図５のｉ参照）。
【００４４】
（７）着呼側携帯電話端末機は、文字会話通信の場合と同様にして、発呼信号および表示用メッセージを受信し、着呼側利用者に着信を告知するとともに、表示用メッセージや着信電話番号等を表示部１４０に表示する（図５のｊおよび図４参照）。
【００４５】
（８）このとき、着呼側利用者が音声モード選択キー１５１を押下すると（図５のｋ参照）、着呼側携帯電話端末機の制御部１３０は、発呼側携帯電話端末機に対して着呼処理（発呼信号に対する応答信号の送信等）を行う（図５のｌ参照）これにより、音声モードでの通信動作が開始される（図５のｍ参照）。
【００４６】
（９）通信を終了するときの手順は、文字会話通信の場合と同様である。
【００４７】
なお、着呼側利用者が、着呼時に表示部１４０に表示された表示用メッセージを確認した結果、通信接続を行わないと判断した場合には、従来と同様、伝言機能を用いて要件を録音してもらったり、自動応答メッセージ機能によって音声通信をできない旨を発呼側利用者に伝えたりすることとすればよく、また、そのまま放置することとしてもよい。
【００４８】
この実施形態では音声モード選択キー１５１および文字会話モード選択キー１５２を用いて音声モード／文字会話モードの選択を行ったが、これに代えて、「音声モード」や「文字会話モード」等の語句を表示部１４０に表示し、利用者がカーソルキー１５３および決定キー１５４を用いてモードを選択することとしてもよい。図６に、このような方式の画面表示例を概念的に示す。着呼側移動端末装置の利用者は、まず、カーソルキー１５３を操作して、例えば「音声モード」を選択する。表示部１４０は、選択されたモードを、白黒反転表示する。そして、着信側利用者が、決定キー１５４を押下すると、選択されたモードが、制御部１３０に認識される。
【００４９】
また、この実施形態では、音声通信および文字会話通信の両方を音声通信接続で行うこととしたが、文字会話通信をデータ通信接続で行うこととしてもよい。この場合には、例えば、文字会話モードが選択されたことを告知する自動音声メッセージは、発呼側携帯電話端末機の内部メモリ（図示せず）に格納しておくことができる。すなわち、着呼側携帯電話端末機と発呼側携帯電話端末機とのデータ通信接続を行った後、文字会話モードが選択されたことを示す制御パケットを着呼側携帯電話端末機から発呼側携帯電話端末機に送信し、この制御パケットを受信した発呼側携帯電話端末機が該自動音声メッセージを再生することとすれば、音声通信接続を全く行わずに文字会話モードを開始することが可能である。
【００５０】
この実施形態は、この発明を携帯電話端末機に適用した場合を例に採って説明したが、例えば、ＰＨＳや自動車電話などの他の移動通信端末装置にも適用できることは、もちろんである。
【００５１】
以上説明したように、この実施形態によれば、着呼側利用者は、音声通信に係る発呼に対して文字会話通信による通信を選択することができるので、音声通信を受けること無しに、発呼側利用者に対するリアルタイムの返信を行うことができる。
【００５２】
加えて、この実施形態において、発呼の際に、発信側通信端末装置から着呼側携帯電話端末機に表示用メッセージを送信することとしたので、音声通信を着呼した場合に、該音声通信を行うこと無しに、発呼側利用者の要件を判断することが可能になる。
【００５３】
また、この実施形態では、表示用メッセージを着呼側携帯電話端末機の表示画面に自動的に表示することとしたので、該表示用メッセージを確認するための操作が不要である。したがって、要件の判断を簡単に行うことができ、操作性に優れている。
【００５４】
さらに、文字会話モードが選択された場合に、該文字会話モードの選択を告知する自動音声メッセージが発呼側携帯電話端末機で再生された後で文字会話通信を開始するので、発呼側利用者は表示画面をチェックすることなく、文字会話モードが選択されたことを知ることができる。すなわち、この実施形態によれば、発呼者は、従来の音声通信の場合と同様、スピーカ１７０を耳に当接した状態で通信開始を待てばよいので、操作性に優れている。
【図面の簡単な説明】
【００５５】
【図１】実施形態に係る携帯電話端末機の外観を概略的に示す平面図ある。
【図２】実施形態に係る携帯電話端末機の電気的構成を概略的に示すブロック図である。
【図３】実施形態に係る文字会話通信の手順を説明するためのシーケンス図である。
【図４】実施形態に係る画面表示の一例を説明するための概念図である。
【図５】実施形態に係る音声通信の手順を説明するためのシーケンス図である。
【図６】実施形態に係る画面表示の他の例を説明するための概念図である。
【符号の説明】
【００５６】
１００  携帯電話端末機
１１０  アンテナ部
１２０  送受信部
１３０  制御部
１４０  表示部
１５０  キー入力部
１６０  マイク部
１７０  スピーカ部
１８０  筐体
【図１】
2007096486.tif 000003
【図２】
2007096486.tif 000004
【図３】
2007096486.tif 000005
【図４】
2007096486.tif 000006
【図５】
2007096486.tif 000007
【図６】
2007096486.tif 000008